(57)【要約】【課題】飲料液体への十分な気体溶解濃度を確保しつつ、使用者に飲みやすさを提供できるスプレー型飲料液体供給ボトルの提供。【解決手段】密閉容器内に水素を溶解させた飲料液体を収容するとともに、余空間に加圧状態の噴射ガスを封入しこれを圧力開放させてノズルから前記飲料液体を外部に噴出させるスプレー型飲料液体供給ボトルである。一方の端部をノズルの噴出口に取り付けられ且つ他方の端部を使用者の口内に挿入されるくわえ部とした可撓性を有するチューブを含み、チューブは、使用者によりくわえ部から任意に屈曲せしめられてノズルから噴射吐出される飲料液体の流束の速度調整を与えることを特徴とする【選択図】図３
2020045117.tif 000002
【特許請求の範囲】
【請求項１】
密閉容器内に水素を溶解している飲料液体を収容するとともに、余空間に加圧状態の噴射ガスを封入しこれを圧力開放させてノズルから前記飲料液体を外部に噴出させるスプレー型飲料液体供給ボトルであって、
一方の端部を前記ノズルの噴出口に取り付けられ且つ他方の端部を使用者の口内に挿入されるくわえ部とした可撓性を有するチューブを含み、
前記チューブは、前記使用者により前記くわえ部から任意に屈曲せしめられて前記ノズルから噴射吐出される前記飲料液体の流束の速度調整を与えることを特徴とするスプレー型飲料液体供給ボトル。
【請求項２】
前記チューブは、前記使用者により前記くわえ部の断面形状を変化せしめられて前記飲料液体の流束の速度調整を与えることを特徴とする請求項１記載のスプレー型飲料液体供給ボトル。
【請求項３】
前記ノズルは、前記余空間の前記噴射ガスを前記飲料液体とともに噴出させる圧力弁を備えることを特徴とする請求項１又は２に記載のスプレー型飲料液体供給ボトル。
【請求項４】
前記噴射ガスは、水素を主成分として含むことを特徴とする請求項３記載のスプレー型飲料液体供給ボトル。
【請求項５】
前記チューブは、内径を１．０〜５．０ｍｍ、長さを２０〜３００ｍｍ以内とすることを特徴とする請求項１乃至４のうちの１つに記載のスプレー型飲料液体供給ボトル。
【請求項６】
密閉容器内に水素を溶解させた飲料液体を収容するとともに、余空間に加圧状態の噴射ガスを封入しこれを圧力開放させてノズルから前記飲料液体を外部に噴出させるスプレー型飲料液体供給ボトルによる飲料液体の供給方法であって、
前記スプレー型飲料液体供給ボトルは、一方の端部を前記ノズルの噴出口に取り付けられ且つ他方の端部を使用者の口内に挿入されるくわえ部とした可撓性を有するチューブを含み、
前記くわえ部から前記チューブを任意に屈曲せしめて前記ノズルから噴射吐出される前記飲料液体の流束の速度調整を与えることを特徴とする飲料液体供給方法。
【請求項７】
前記くわえ部の断面形状を変化せしめて前記飲料液体の流束の速度調整を与えることを特徴とする請求項６記載の飲料液体供給方法。
【請求項８】
前記ノズルは、前記余空間の前記噴射ガスを前記飲料液体とともに噴出させる圧力弁を備えることを特徴とする請求項６又は７記載の飲料液体供給方法。
【請求項９】
前記噴射ガスは、水素を主成分として含むことを特徴とする請求項８記載の飲料液体供給方法。
【請求項１０】
前記チューブは、内径を１．０〜５．０ｍｍ、長さを２０〜３００ｍｍ以内とすることを特徴とする請求項６乃至９のうちの１つに記載の飲料液体供給方法。
【発明の詳細な説明】
【技術分野】
【０００１】
本発明は、密閉容器内の飲料液体を噴射ガスにて吐出させるスプレー型飲料液体供給ボトル及びこれによる飲料液体供給方法に関し、特に、運動中に飲料液体を摂取しやすく且つ飲料液体に含まれるガスをも効率よく摂取可能なスプレー型飲料液体供給ボトル及びこれによる飲料液体供給方法に関する。
【背景技術】
【０００２】
ランニング中のランナーが走行中に水分を補給しようとする場合や、スポーツやイベント等のレジャー活動で運動をしながら飲料液体を摂取しようとする場合、缶やビン等の密閉容器に封入された飲料では、容器の蓋を開ける又は再びこれを閉じる動作が必要となり、運動動作を阻害することになり得る。また、炭酸飲料の如きガス（気体）を溶解させた飲料液体を供給しようとする場合、密閉された容器内で飲料液体からガスが気化して内部圧力を高め、該容器の破裂を生じさせる懸念もある。一方で、容器内部の圧力を一定とするような圧力弁を設けることも考慮できるが、飲料からガスが抜け、いわゆる気抜けした状態となって風味を低下させてしまう。
【０００３】
そこで、特許文献１には、このような運動中等に飲料液体、特に、炭酸飲料を供給する方法として、スプレー容器からなる飲料供給ボトルが開示されている。容器中の炭酸飲料が同封された炭酸ガスからなる推進剤の加圧によりスプレーバルブから排出され、このスプレーバルブの出口から液体が実質的に収束されたストリームとして出るように形成されている。このような容器によれば、運動動作を中断させることなく、飲料液体の摂取が可能になる。
【０００４】
ところで、近年、人間の体内に存在する活性酸素を体外に排出することを目的として、液体中に水素を溶解させた飲料を摂取することが提案されている。水素は、小さな分子量であることから人体に吸収され易く、効率的に体内の活性酸素と反応してこれを水として体外に排出させ得る。一方で、水素ガスの水への溶解度は非常に小さく、加圧状態で水と水素ガスとを共存させて水素を高濃度に含む水を提供できる加圧型容器などが提案されている。
【０００５】
また、特許文献２には、水素を溶解させた飲料や化粧料の液体を供給する容器として、耐圧容器内に液体と噴射剤としての高圧の水素ガスとを充填し、アクチュエータを押下することでノズルから水素を溶解した液体をミストとして噴射するエアゾールが開示されている。
【先行技術文献】
【特許文献】
【０００６】
【特許文献１】登録実用新案第３０３９１８７号公報
【特許文献２】特開２０１５−８６２２０号公報
【発明の概要】
【発明が解決しようとする課題】
【０００７】
例えば、ランニング中にエアゾールで噴射される飲料液体を摂取しようとすると、噴射された飲料液体が揺動によりミストとしてより広く拡散し、飲料液体を飲むことが困難となるとともに、体積当たりの飲料液体比が低下し清涼感に欠ける。また、噴射ガスを高圧かつ高速で圧力解放させ、飲料液体を収束されたストリームとして噴射した場合、高速のストリームが使用者の口内あるいは喉を直撃し、やはり飲みやすさに欠ける。
【０００８】
また、エアゾールにおいて、飲料液体の摂取とともに水素のようなガスの摂取も同時に行おうとする場合、飲料液体内に溶解したガスが使用者の口に入る前に散逸してしまう。
【０００９】
本発明は、以上のような状況を鑑みてなされたものであって、その目的とするところは、飲料液体への十分な気体溶解濃度を確保しつつ、使用者に飲みやすさを提供できるスプレー型飲料液体供給ボトル及びこれによる飲料液体供給方法を提供することにある。
【課題を解決するための手段】
【００１０】
本発明によるスプレー型飲料液体供給ボトルは、密閉容器内に水素を溶解している飲料液体を収容するとともに、余空間に加圧状態の噴射ガスを封入しこれを圧力開放させてノズルから前記飲料液体を外部に噴出させるスプレー型飲料液体供給ボトルであって、一方の端部を前記ノズルの噴出口に取り付けられ且つ他方の端部を使用者の口内に挿入されるくわえ部とした可撓性を有するチューブを含み、前記チューブは、前記使用者により前記くわえ部から任意に屈曲せしめられて前記ノズルから噴射吐出される前記飲料液体の流束の速度調整を与えることを特徴とする。
【００１１】
かかる発明によれば、密閉容器によって十分な気体溶解濃度を確保した飲料液体を、チューブを通じることで使用者に飲みやすい速度で供給できる。
【００１２】
上記した発明において、前記チューブは、前記使用者により前記くわえ部の断面形状を変化せしめられて前記飲料液体の流束の速度調整を与えることを特徴としてもよい。かかる発明によれば、使用者によって飲料液体の供給速度をより飲みやすいものに調整できる。
【００１３】
上記した発明において、前記ノズルは、前記余空間の前記噴射ガスを前記飲料液体とともに噴出させる圧力弁を備えることを特徴としてもよい。また、前記噴射ガスは、水素を主成分として含むことを特徴としてもよい。かかる発明によれば、飲料液体に混合させた水素などの噴射ガスを同時に摂取することができる。
【００１４】
上記した発明において、前記チューブは、内径を１．０〜５．０ｍｍ、長さを２０〜３００ｍｍ以内とすることを特徴としてもよい。かかる発明によれば、飲料液体の供給速度の調整を使用者にとって容易なものにすることができる。
【００１５】
また、本発明による飲料液体供給方法は、密閉容器内に水素を溶解させた飲料液体を収容するとともに、余空間に加圧状態の噴射ガスを封入しこれを圧力開放させてノズルから前記飲料液体を外部に噴出させるスプレー型飲料液体供給ボトルによる飲料液体の供給方法であって、前記スプレー型飲料液体供給ボトルは、一方の端部を前記ノズルの噴出口に取り付けられ且つ他方の端部を使用者の口内に挿入されるくわえ部とした可撓性を有するチューブを含み、前記くわえ部から前記チューブを任意に屈曲せしめて前記ノズルから噴射吐出される前記飲料液体の流束の速度調整を与えることを特徴とする。
【００１６】
かかる発明によれば、密閉容器によって十分な気体溶解濃度を確保した飲料液体を、チューブを通じることで使用者に飲みやすい速度で供給できる。密閉容器によって十分な気体溶解濃度を確保した飲料液体を、チューブを通じることで使用者に飲みやすい速度で供給できる。
【００１７】
上記した発明において、前記くわえ部の断面形状を変化せしめて前記飲料液体の流束の速度調整を与えることを特徴としてもよい。かかる発明によれば、使用者によって飲料液体の供給速度をより飲みやすいものに調整できる。
【００１８】
上記した発明において、前記ノズルは、前記余空間の前記噴射ガスを前記飲料液体とともに噴出させる圧力弁を備えることを特徴としてもよい。また、上記した発明において、前記噴射ガスは、水素を主成分として含むことを特徴としてもよい。かかる発明によれば、飲料液体に混合させた水素などの噴射ガスを同時に摂取することができる。
【００１９】
上記した発明において、前記チューブは、内径を１．０〜５．０ｍｍ、長さを２０〜３００ｍｍ以内とすることを特徴としてもよい。かかる発明によれば、飲料液体の供給速度の調整を使用者にとって容易なものにすることができる。
【図面の簡単な説明】
【００２０】
【図１】本発明の代表的な一例によるスプレー型飲料液体供給ボトルの側面図である。
【図２】スプレー型飲料液体供給ボトルの噴射口を通る中心断面による断面図である。
【図３】スプレー型飲料液体供給ボトルの噴射状態を示す部分断面図であって、（ａ）はアクチュエータ近傍の拡大図であり、（ｂ）は噴射ノズル近傍の拡大図である。
【図４】他のスプレー型飲料液体供給ボトルのアクチュエータ近傍の拡大断面図である。
【図５】スプレー型飲料液体供給ボトルを用いた飲料供給方法を示す側面図である。
【図６】（ａ）チューブなし（ｂ）チューブありでのそれぞれの飲料液体の吐出状態を示す写真である。
【図７】スプレー型飲料液体供給ボトルの変形例に適用されるチューブの断面図である。
【発明を実施するための形態】
【００２１】
以下、図１乃至図６を用いて、本発明による１つの実施例におけるスプレー型飲料液体供給ボトル及びこれを用いた飲料液体供給方法について具体的に説明する。
【００２２】
図１及び図２に示すように、スプレー型飲料液体供給ボトル１００は、いわゆる「エアゾール」と称されるものと類似する構造を有するものであって、下端側を閉塞した円筒状の密閉容器１１０と、密閉容器１１０の上端側に配置されるアクチュエータ１２０と、アクチュエータ１２０に設けられた噴出口に一端を取り付けられたチューブ１３０と、アクチュエータ１２０によって駆動されるバルブ１４０と、バルブ１４０の下方の空間（後述する２段凹部１１２の下段側）に連通するよう接続されるチューブ１５０と、を含む。
【００２３】
密閉容器１１０は、例えばアルミニウム合金等の軽量で高強度の金属材料やガラス等の硬質の材料からなる有底筒状の部材であって、内部の密閉空間に封入される噴射ガスの内圧に対応した耐圧容器として構成される。密閉容器１１０の上端側には、アクチュエータ１２０及びバルブ１４０を取り付けることでえ密閉される２段凹部１１２が形成されており、下端側には、密閉容器１１０の外側に対して略球面状に窪む凹面１１４が形成されている。
【００２４】
密閉容器１１０の密閉された内部空間には、液相である飲料液体Ｌと気相である噴射ガスＧとが封入されている。すなわち、密閉容器１１０の内部空間には所定量の飲料液体Ｌが収容され、内部空間の飲料液体Ｌ以外の余空間には液面に圧力Ｆを付与する、噴射ガスＧが所定圧力で封入される。
【００２５】
密閉容器１１０内に収容される飲料液体Ｌは、例えば、お茶やコーヒーあるいはジュース等の液体の飲料が例示できる。飲料液体Ｌには、少なくとも水素を溶解させた液体が用いられる。なお、飲料液体Ｌには、例えば、香気成分や薬効成分等の揮発物質が含まれてもよい。
【００２６】
噴射ガスＧは、その一例として、飲料液体Ｌに溶解できる水素又はこれを含む気体である。このような噴射ガスＧとしては、水素を主成分とする混合ガスの他に、酸素を主成分とする混合ガスや、あるいは不活性ガスである窒素又は二酸化炭素に水素を混合した混合ガス等が例示できる。
【００２７】
ここで、噴射ガスＧは加圧された状態で密閉容器１１０内に封入されている。例えば、その圧力Ｆは飲料液体Ｌの初期充填の状態で少なくとも大気圧よりも高い圧力、典型的には、０．２〜０．９９ＭＰａの範囲に設定される。飲料液体Ｌは、典型低には、密閉容器１１０の７０％程度の量で充填されている。このとき、噴射ガスＧに混合されている水素の一部が飲料液体Ｌの液面を介してその内部に溶解し、飲料液体Ｌは、水素を溶け込ませた液体となる。
【００２８】
一方、噴射ガスＧに、例えば窒素や不活性ガス等の飲料液体Ｌにほとんど溶解しない気体を混合しておけば、これらの飲料液体Ｌに溶けない気体は、飲料液体Ｌが噴出したときに液体を介して外部に抜けることがない。このため、噴射ガスＧに含まれる水素などのガスの一部が飲料液体Ｌに溶け込んで液体とともに外部に抜けることで、噴射ガスＧの水素分の減少が生じたとしても、密閉容器１１０内の圧力減少を補うことができる。
【００２９】
アクチュエータ１２０は、例えばプラスチック等からなる略円柱形状の部材であって、その内部には底面から側面に至る流路１２２が形成されている。アクチュエータ１２０の上面には、例えば傾斜した凸面からなる押圧部１２０ａが形成されており、使用者が指等で押し込む態様で駆動させる。
【００３０】
一方、アクチュエータ１２０の側面１２０ｂは、上記した密閉容器１１０の２段凹部１１２における上段の内周面１１２ａと摺動自在に接触する。また、流路１２２の側面１２０ｂ側には噴射ノズル１２４が取り付けられており、流路１２２を通った飲料液体Ｌがミストとしてノズル１２４の外部に噴射される。
【００３１】
チューブ１３０は、可撓性を有し、その一方の端部に使用者の口の中に挿入されるくわえ部１３２ａを備え、他方の端部にアクチュエータ１２０の側面１２０ｂにおける噴射ノズル１２４の噴出口側に取り付けられる取付部１３２ｂを備える。ここで、チューブ１３０は、その内部の流路をストレートではなく屈曲させるようにして成形されていることが好ましく、これついては後述する。また、例えば、チューブ１３０をアクチュエータ１２０に対して着脱自在な部材として構成してもよい。チューブ１３０を取り外して洗浄することができるため、常に清潔な状態に保つことができる。
【００３２】
バルブ１４０は、スプレー等に用いられる公知のものを使用できる。例えば、図示上方へ貫通するとともに下側を側方へ屈曲させて側面へ貫通させた貫通路１４２を備え、アクチュエータ１２０によって下方向に移動された場合に側方のシールが解除されて貫通路１４２を２段凹部１１２の下段側に連通させる（開状態となる）構造を有している。バルブ１４０の上面はアクチュエータ１２０の下面と当接しており、流路１２２と貫通路１４２とを連通させている。
【００３３】
また、密閉容器１１０の２段凹部の下段における底面には貫通穴が形成されており、この貫通穴を通してチューブ１５０が取り付けられる。チューブ１５０の上端部１５０ａは２段凹部１１２の下段内部に連通し、下端部１５０ｂは密閉容器１１０の凹面１１４の近傍に配置される。
【００３４】
図３（ａ）に示すように、スプレー型飲料液体供給ボトル１００のアクチュエータ１２０を初期位置Ｐ１から押下位置Ｐ２に下向きに押し下げるように駆動すると、上述のとおりバルブ１４０の移動によってシールが解除され、貫通路１４２を２段凹部１１２の下段に連通させる。このとき、密閉容器１１０の内部に封入された噴射ガスＧの内圧によって、飲料液体Ｌの液面には押圧力Ｆが作用する。そして、飲料液体Ｌはチューブ１５０から２段凹部１１２の下段に導かれ、貫通路１４２及び流路１２２をこの順序で経由し、アクチュエータ１２０の噴射ノズル１２４から圧力開放することで外部に噴射される。
【００３５】
図３（ｂ）に示すように、噴射ノズル１２４から外部に噴射された飲料液体Ｌは、溶解させた水素とともに、さらには混合させた噴射ガスＧとともに、所定の角度で拡散するミストＭとして噴射される。このとき、噴射ノズル１２４の噴出口を囲繞する態様で、アクチュエータ１２０の側面１２０ｂにチューブ１３０が取り付けられている。そのため、噴射ノズル１２４から噴射されたミストＭは、チューブの内面１３０ａで反射してその中心軸側に集約された流束を形成する。これにより、噴射ガスＧの圧力によって高速のミストとして噴射された飲料液体Ｌは、水素を含む気液混相の流速Ｊとして、チューブ１３０のくわえ部１３２ａに向けて流れていく。特に、チューブ１３０によって、ミストとしての拡散を抑制することで、形成される流束の速度を低下させて体積当たりの飲料液体比をミストに対して増加させる。
【００３６】
なお、図４に示すように、噴射ガスＧを上記した余空間から飲料液体Ｌに混合させる圧力弁を備えるようにしてもよい。例えば、バルブ１４０に貫通路１４２に通じる小孔１４４を側方に向けて開け、貫通路１４２と同様にアクチュエータ１２０の押下に伴うバルブ１４０の移動によってシールの解除される圧力弁とするのである。つまり、この圧力弁は、解除されたときに２段凹部１１２の下段の側面から余空間に向けて貫通する孔１１６と連通することでシールを解除する構造を有する。これによって、貫通路１４２を通過する飲料液体Ｌに噴射ガスＧを混合させ、飲料液体Ｌとともに噴射ノズル１２４から噴出させることができる。なお、飲料液体Ｌの逆流を防止するため、小孔１４４の内径は、圧力損失によって導かれる噴射ガスＧの圧力を十分低下させるように小さくされる。この場合、噴射ガスＧは水素を主成分として含むことが好ましい。また、余空間から緩慢にリークする小室１１８を設け、この小室１１８を介して孔１１６から小孔１４４に接続させるようにすると、余空間の圧力低下を抑制できて好ましい。
【００３７】
図５に示すようにスプレー型飲料液体供給ボトル１００を用いて飲料を摂取する場合、使用者１０は、スプレー型飲料液体供給ボトル１００のアクチュエータ１２０に取り付けられたチューブ１３０のくわえ部１３２ａを口の中に入れて、チューブ１３０を口（唇）１２でくわえて保持する。
【００３８】
この状態で、指１６でアクチュエータ１２０の押圧部１２０ａ（図２等参照）を下向きに押してアクチュエータ１２０を押し下げることにより、噴射ノズル１２４から飲料液体Ｌである飲料に水素を溶解させたミストＭが噴射される。そして、上述のとおり、ミストＭはチューブ１３０の内面１３０ａで反射して集約されて気液混相の流束Ｊとなり、くわえ部１３２ａ側から使用者１０の口内１２ａに吐出される。
【００３９】
ここで、流束Ｊに含まれる飲料液体Ｌにも水素が溶解しているため、流束Ｊがチューブ１３０内を流れる間に大気圧まで圧力開放されると、溶け込んでいた水素の一部が急激に減圧されて膨張（気体分子化）する。このような場合でも、流束Ｊが外部から密閉されたチューブ１３０を通って直接に使用者１０の口内１２ａに流入する構成となっているため、気化した水素を含むスプレーから噴出されたすべての成分が、気液混相流の飲料となって使用者１０に供給される。噴射ガスＧを余空間から飲料液体Ｌに混合させた場合においても同様に、噴射ガスＧに含まれる水素などのガスは気相のままチューブ１３０から外部に漏れることなく使用者によって摂取され得る。なお、圧力開放によって一部気化された水素や気相のまま混合された水素は厳密には飲料液体Ｌに溶解していないが、このように飲料液体Ｌとともに全て使用者に供給されるため、気相の水素も含めて気体溶解濃度として考えることとする。
【００４０】
上記したように、チューブ１３０は噴射された飲料液体の速度を低下させて体積当たりの飲料液体比をミストに対して増加させた流束を形成する。さらに上記したように、チューブ１３０はその内部の流路を屈曲させていると好ましく、これによっても流束の進行方向に変化を与えてその速度を低下させ得る。そして、チューブ１３０は可撓性を有するため、くわえ部１３２ａから使用者によって任意に屈曲されてこの速度をさらに調整し得る。このようにして速度調整されることで、使用者にとって飲みやすい速度の流束を形成させることができるとともに、体積当たりの飲料液体比を増加させることで飲料としての清涼感を増加させ得る。
【００４１】
例えば、図６（ａ）に示すように、チューブ１３０を取り付けていない場合には、飲料液体Ｌは噴射ノズル１２４から勢いよくミストＭとして噴射される。
【００４２】
これに対して、図６（ｂ）に示すように、チューブ１３０を取り付けることで、飲料液体Ｌは流束の速度を調整されて体積当たりの飲料液体比を増加させている。なお、図示されているように、チューブ１３０の流路は先端側で上に向けるように屈曲されている。このような屈曲を使用者によって与えられることでも同様に流束の速度調整が可能である。
【００４３】
また、チューブ１３０は可撓性を有するため、使用者によってくわえられることでくわえ部１３２ａの流路の断面形状を変化させられ得る。これによっても流束Ｊの速度を調整可能である。つまり、使用者は、自らにとって飲みやすくなるよう流束Ｊの速度を調整することができる。なお、チューブ１３０の内径は、好ましくは１．０〜８．０ｍｍの範囲内であり、より好ましくは２．０〜５．０ｍｍの範囲内である。また、長さは、好ましくは２０〜２００ｍｍの範囲内であり、好ましくは２０〜５０ｍｍである。また、運動中に使用するような用途の場合にあっては、密閉容器１１０と使用者の口との位置関係が運動により変化するため、これを吸収するように、１００〜２００ｍｍの長めのチューブ１３０とすることが好ましい。チューブ１３０の内径と長さをこのような範囲内とすることで、上記したような目的に合わせた調整を容易とし得る。
【００４４】
チューブ１３０は、上記したように拡散するミストＭを流束Ｊとしてその速度を調整する。そのため、チューブ１３０の内径に対して流束Ｊの速度を低く調整して、流束Ｊにおける体積当たりの飲料液体比を大きくして、飲料としての清涼感を増すようにすることが好ましい。つまり、チューブ１３０の内径は、噴射ノズル１２４からの飲料液体Ｌの単位時間あたりに噴射される飲料液体の量に対して好ましく定められる。換言すれば、噴射ノズル１２４からの飲料液体Ｌの噴出量は、チューブ１３０の内径に対して飲料としての清涼感を増すように定められる。
【００４５】
図７に示すように、チューブ１３０は、その長手方向に沿って延びる複数の突条又は凹溝をその内面に形成させてもよい。
【００４６】
例えば図７（ａ）に示すように、チューブ１３０の内面１３０ａに中心軸に向かって突出する４つの突条１３４が、チューブ１３０の長手方向に沿って形成されている。
【００４７】
他の実施例として、図７（ｂ）に示すように、チューブ１３０の内面１３０ａに所定深さの８つの凹溝１３６が、チューブ１３０の長手方向に沿って形成されている。
【００４８】
このように、突条や溝を設けることで、噴射ノズル１２４から放射状に拡散して噴射されるミストＭ（図３（ｂ）参照）に対して、内面１３０ａとの接触面積を増加させるとともに、チューブ１３０の円周方向における障壁として機能する。つまり、ミストＭの拡散に対してこれを衝突させることでチューブ１３０によってエネルギーを吸収し、より迅速にミストの拡散を抑制して飲料液体Ｌの流束を形成させてその速度（チューブ１３０からの吐出速度）を下げることができる。ここで、チューブ１３０の内面１３０ａに形成される凹凸形状は、チューブ１３０の全長にわたって形成しても良いし、例えばチューブ１３０のアクチュエータ１２０への取付部１３２ｂ側にのみ形成してもよい。
【００４９】
また、例えば突条１３４は、過剰な曲げに対する補強手段としての機能を有するようにされることも可能となる。一方、例えば凹溝１３６は、逆に小さな曲げ応力でも容易に変形を可能とさせ得る。
【００５０】
以上説明したとおり、スプレー型飲料液体供給ボトル１００は、噴射ノズル１２４の取付け位置にチューブ１３０を取り付けて、反対側の端部をくわえ部１３２ａとして構成したことにより、噴射ガスＧの圧力によりミストＭとして噴射ノズル１２４から噴射される飲料液体Ｌを、チューブ１３０の内面１３０ａに反射させて集約して流束を形成させる。さらに、可撓性を有するチューブ１３０を任意に屈曲させることでこの流束の速度をさらに調整し得る。これによって、体積当たりの飲料液体比を増加させた気液混相の流束Ｌとしてチューブ１３０から吐出される。このため、密閉容器１１０内で十分に水素の溶解した飲料液体Ｌを、チューブ１３０を通じて飲みやすい速度で供給できるとともに、飲料に溶解した水素を外部に散逸させずに、十分な量の水素とともに飲料液体Ｌを摂取することができる。
【００５１】
以上、本発明による実施例及びこれに基づく変形例を説明したが、本発明は必ずしもこれに限定されるものではなく、当業者であれば、本発明の主旨又は添付した特許請求の範囲を逸脱することなく、様々な代替実施例及び改変例を見出すことができるであろう。
【符号の説明】
【００５２】
１０  使用者
１２  （使用者の）口
１４  （使用者の）指
１００  スプレー型飲料液体供給ボトル
１１０  密閉容器
１１２  ２段凹部
１１４  凹面
１２０  アクチュエータ
１２２  流路
１２４  噴射ノズル
１３０  チューブ
１３２ａ  くわえ部
１３４  突条
１３６  凹溝
１４０  バルブ
１４２  貫通路
１５０  チューブ
【図１】
2020045117.tif 000003
【図２】
2020045117.tif 000004
【図３】
2020045117.tif 000005
【図４】
2020045117.tif 000006
【図５】
2020045117.tif 000007
【図６】
2020045117.tif 000008
【図７】
2020045117.tif 000009